(57)【要約】【課題】空調システムからの冷媒の漏れ及びフィッティングの全体パッケージサイズを最小化するために最適化されている空調システムに用いるための密封構造を提供する。【解決手段】  本発明は空調システム用ブロックフィッティング及び密封構造であって、前記空調システムの雌ブロック部品に収容されるようになっている雄ブロックフィッティングとして、前記雄ブロックフィッティングは軸方向に延びる膨らんでいる部門を備える前記雄ブロックフィッティング、及び前記膨らんでいる部分の周りに配置される環形密封部分として、前記密封部分は前記雄ブロックフィッティング及び前記雌ブロック部品と協力して前記雄ブロックフィッティングと前記雌ブロック部品間に軸方向密封及び放射状の密封を提供するように構成された前記環形密封部分を含むことを特徴とする。【選択図】図２
2020003067.tif 000002
【特許請求の範囲】
【請求項１】
空調システム用ブロックフィッティング及び密封構造であって、
前記空調システムの雌ブロック部品に収容されるようになっている雄ブロックフィッティングとして、前記雄ブロックフィッティングは軸方向に延びる膨らんでいる部分を備える前記雄ブロックフィッティング、及び
前記膨らんで切る部分の周りに配置される環形密封部分として、前記密封部分は前記雄ブロックフィッティング及び前記雌ブロック部品と協力して前記雄ブロックフィッティングと前記雌ブロック部品の間に軸方向密封及び放射状の密封を提供するように構成された前記環形密封部分を含むことを特徴とするブロックフィッティング及び密封構造。
【請求項２】
前記膨らんで切る部分の遠端部（ｄｉｓｔａｌ  ｅｎｄ）は上部に形成されるテーパーリングされたテーパーリングされた（ｔａｐｅｒｅｄ）部分を有し、前記テーパーリングされた部分は２次密封を形成するために前記雌ブロック部品のテーパーリングされた部分に噛み合うように構成されたことを特徴とする請求項１記載のブロックフィッティング及び密封構造。
【請求項３】
前記雄ブロックフィッティングの前記膨らんでいる部分上に環形凸部が形成され、前記密封部分は前記軸方向密封の一部分を形成するように前記環形凸部に噛み合うことを特徴とする請求項１記載のブロックフィッティング及び密封構造。
【請求項４】
前記凸部は第１外径を有する第１セグメント、前記第１外径より小さな第２外径を有する第２セグメント、及び前記第２外径より小さな直径を有する第３セグメントに分割され、前記密封部分は前記第２セグメント上に収容されることを特徴とする請求項１記載のブロックフィッティング及び密封構造。
【請求項５】
前記第２セグメントは上部に形成される環形凸部を備えて、前記密封部分は前記軸方向密封の一部分を形成するように前記環形凸部に噛み合うことを特徴とする請求項４記載のブロックフィッティング及び密封構造。
【請求項６】
空調システム用ブロックフィッティング及び密封構造であって、
前記空調システムの雄ブロック部品に収容されるようになっている雌ブロックフィッティングとして、前記雌ブロックフィッティングは前記雄ブロック部品の膨らんでいる部分に噛み合うための窪んでいる部分を備える前記雌ブロックフィッティング、及び
前記窪んでいる部分内に配置される環形密封部分として、前記密封部分は前記雌ブロックフィッティング及び前記雄ブロック部品と協力して前記雌ブロックフィッティングと前記雄ブロック部品の間に軸方向密封及び放射状の密封を提供するように構成された前記環形密封部分を含むことを特徴とするブロックフィッティング及び密封構造。
【請求項７】
前記密封部分は前記窪んでいる部分の内部表面と協力して、前記軸方向密封の一部分を形成するために前記雄ブロック部品の前記膨らんでいる部分上に形成された環形凸部と協力するように構成されることを特徴とする請求項６記載のブロックフィッティング及び密封構造。
【請求項８】
前記密封部分は前記放射状の密封の一部分を形成するように前記窪んでいる部分の内部表面上に形成されることを特徴とする請求項６記載のブロックフィッティング及び密封構造。
【請求項９】
前記窪んでいる部分は内部に形成されるテーパーリングされた部分を備えて、前記テーパーリングされた部分は前記雌ブロックフィッティングと前記雄ブロック部品の間に２次密封を形成するために前記雄ブロック部品のテーパーリングされた部分に噛み合うように構成されることを特徴とする請求項６記載のブロックフィッティング及び密封構造。
【請求項１０】
前記窪んでいる部分は第１内径を有する第１セグメント、前記第１内径より小さな第２内径を有する第２セグメント、及び前記第２内径より小さな第３直径を有する第３セグメントに分割されて、前記密封部分は前記窪んでいる部分の前記第２セグメントの内部表面に噛み合うことを特徴とする請求項６記載のブロックフィッティング及び密封構造。
【請求項１１】
空調システム用ブロックフィッティング及び密封構造であって、
軸方向に延びる膨らんでいる部分を備える前記雄ブロックフィッティングとして、前記膨らんでいる部分の遠端部は上部に形成されるテーパーリング部分を有する、前記雄ブロックフィッティング、
内部にテーパーリングされた部分が形成された窪んでいる部分を備える雌ブロックフィッティングとして、前記雌ブロックフィッティングの前記テーパーリングされた部分は前記雄ブロックフィッティングの前記テーパーリングされた部分に噛み合うように構成される前記雌ブロックフィッティング、及び
前記雄ブロックフィッティングと前記雌ブロックフィッティングの間に配置される環形密封部分として、前記密封部分は前記雄ブロックフィッティングと前記雌ブロックフィッティングの間に軸方向密封及び放射状の密封を提供する前記環形密封部分を含むことを特徴とするブロックフィッティング及び密封構造。
【請求項１２】
前記雄ブロックフィッティング及び前記雌ブロックフィッティングのそれぞれを貫通して形成される第１開口をさらに含み、前記雄ブロックフィッティングの第１開口は前記膨らんでいる部分を貫通して形成されて第１管を収容するように構成されて、前記雌ブロックフィッティングの第１開口は前記窪んでいる部分を貫通して形成されて第２管を収容するように構成されることを特徴とする請求項１１記載のブロックフィッティング及び密封構造。
【請求項１３】
前記雄ブロックフィッティング及び前記雌ブロックフィッティングのそれぞれを貫通して形成される第２開口をさらに含み、前記第２開口のそれぞれは内部にファスナー（ｆａｓｔｅｎｅｒ）を収容するように構成されることを特徴とする請求項１１記載のブロックフィッティング及び密封構造。
【請求項１４】
前記膨らんでいる部分は第１外径を有する第１セグメント、前記第１外径より小さな第２外径を有する第２セグメント、及び前記雄ブロックフィッティングの前記テーパーリングされた部分を備える第３セグメントに分割されて、前記密封部分は前記第２セグメント上に収容されることを特徴とする請求項１１記載のブロックフィッティング及び密封構造。
【請求項１５】
前記窪んでいる部分は第１内径を有する第１セグメント、前記第１内径より小さな第２内径を有する第２セグメント、及び前記雌ブロックフィッティングの前記テーパーリングされた部分を備える第３セグメントに分割されて、前記密封部分は前記窪んでいる部分の前記第２セグメントの内部表面に噛み合うことを特徴とする請求項１４記載のブロックフィッティング及び密封構造。
【請求項１６】
前記雄ブロックフィッティングの前記膨らんでいる部分の前記第２セグメント上に環形凸部が形成されて、前記密封部分は前記環形凸部に噛み合うことを特徴とする請求項１５記載のブロックフィッティング及び密封構造。
【請求項１７】
前記密封部分は前記雄ブロックフィッティングの前記膨らんでいる部分及び前記雌ブロックフィッティングの前記窪んでいる部分の前記第２セグメントのそれぞれの長さと実質的に同様の長さを有することを特徴とする請求項１５記載のブロックフィッティング及び密封構造。
【請求項１８】
前記雄ブロックフィッティング及び前記雌ブロックフィッティングのそれぞれの前記テーパーリングされた部分はその長さに沿って可変的な角度及び一定の角度の中の一つでテーパー（ｔａｐｅｒｓ）することを特徴とする請求項１１記載のブロックフィッティング及び密封構造。
【請求項１９】
前記雄ブロックフィッティング及び前記雌ブロックフィッティングの中の一つは本体下部部分の内部表面から外側に延びるオフセット表面を有する本体下部部分を備えることを特徴とする請求項１１記載のブロックフィッティング及び密封構造。
【請求項２０】
前記密封部分は実質的にＵ字形であり、内部表面及び外部表面を備えて、前記密封部分の前記内部表面は上部に形成される凹部を有し前記密封部分の前記外部表面は上部に形成されるアーチ型の陷入部（ｄｅｐｒｅｓｓｉｏｎ）を有することを特徴とする請求項１１記載のブロックフィッティング及び密封構造。
【発明の詳細な説明】
【技術分野】
【０００１】
本発明は、ブロックフィッティング及び密封構造に係り、より詳しくは、
軸方向及び放射状の弾性密封要素及び金属間テーパーサドルを備える空調フィッティング（ＡＩＲ  ＣＯＮＤＩＴＩＯＮＩＮＧ  ＦＩＴＴＩＮＧ  ＷＩＴＨ  ＡＸＩＡＬ  ＡＮＤ  ＲＡＤＩＡＬ  ＥＬＡＳＴＯＭＥＲＩＣ  ＳＥＡＬＩＮＧ  ＥＬＥＭＥＮＴ  ＡＮＤ  ＭＥＴＡＬ  ＴＯ  ＭＥＴＡＬ  ＴＡＰＥＲ  ＳＡＤＤＬＥ）において、空調システムからの冷媒の漏れ及びフィッティングの全体パッケージサイズを最小化するために最適化されている空調システムに用いるための密封構造に関するブロックフィッティング及び密封構造に関する。
【背景技術】
【０００２】
自動車を製造する組立ラインで、空調システムでのラインフィッティングはトークレンチを用いるよりパワーナットドライバーを用いて固定できることが好ましい。このような理由から、ピーナッツやブロック類型のフィッティングがたびたび用いられる。
【０００３】
Ｒ１２、Ｒ１３２ａ、Ｒ１２３４ｙｆ及びＲ７４４（ＣＯ２）のような多様な冷媒が自動車用空調システムに用いられる。しかし、環境的な恐れが存在する。その結果、例えば、空調システムが実質的に冷媒漏れや浸透無く動作することを要求する立法が、アメリカ及び欧州連合の多様な政府機関により成立した。
【０００４】
多数の密封部分を有する密封構造が空調システムに使用されるフィッティングからの漏れを防止するように用いられる。これら従来技術の密封構造は例えば、ゴムＯ−リング及び他の弾性密封を含む。しかし、時間の経過によってそのような密封部分は品質が低下し得る。不適切な設置またはハンドリングにより密封構造に対する損傷がまた発生する。
【０００５】
密封構造を有する従来技術のブロックフィッティングがアメリカ特許第７６２１５６８号及び第９２６１１９４号に開示されており、その全体開示内容が参考で見た明細書に併合されている。ブロックフィッティングは一般的に管端部を収容する第１開口を有する雄（ｍａｌｅ）ブロック部分を備える。ブロックフィッティングはまた、管端部を収容する第１開口を有する雌（ｆｅｍａｌｅ）ブロック部分または接合部品に一体化する雌連結部を備える。雄ブロック部分の第１開口と雌ブロック部分の第１開口は実質的に同心に整列される。
【０００６】
従来技術のブロックフィッティング及び密封構造の例は図１に示す通りである。図１は従来のブロックフィッティング及び密封構造（１０）を図示したものである。ブロックフィッティング及び密封構造（１０）は雄ブロックフィッティング（１２）及び雌ブロックフィッティング（１４）を備える。雄ブロックフィッティング（１２）及び雌ブロックフィッティング（１４）の第１開口（１６、１８）はそれぞれ管を実質的に軸方向に整列するために管の端部を収容する。密封部分（２０）は雄ブロックフィッティング（１２）及び雌ブロックフィッティング（１４）の第１開口（１６、１８）を実質的に取り囲んで密封するために雄ブロックフィッティング（１２）及び雌ブロックフィッティング（１４）間に収容される。雌ブロックフィッティング（１４）内に形成される押し跡（ｉｎｄｅｎｔａｔｉｏｎ：図示省略）はそれぞれの第１開口（１６、１８）の整列を容易にするために雄ブロックフィッティング（１２）上に形成される雄膨らんでいる部分（２２）を収容する。したがって、溶媒が管を通じて実質的に漏れのない方式で伝達される。雄ブロックフィッティング（１２）及び雌ブロックフィッティング（１４）内に形成される第２開口（２４、２６）はそれぞれ雄ブロックフィッティング（１２）及び雌ブロックフィッティング（１４）を共に締め付け（ｆａｓｔｅｎｉｎｇ）やすくするためにファスナー（２８）を収容する。
【０００７】
しかし、従来技術のブロックフィッティング及び密封構造は、雄ブロックフィッティングと雌ブロックフィッティングを共に結合するために用いられるファスナー（ｆａｓｔｎｅｒ）を強く締め付けるのに必要なより大きいトークによってより大きいフィッティングフランジ（すなわち、雄ブロックフィッティング及び雌ブロックフィッティングの第１開口及び第２開口を取り囲む材料または部分）の使用を必要とする。より大きいフランジは雄ブロックフィッティングまたは雌ブロックフィッティングの歪みまたは曲がりを防止する。雄ブロックフィッティングまたは雌ブロックフィッティング間の密封部分の構成及び位置によって不要なより大きいトークが必要である。より大きいフィッティングフランジは不要な追加の重さ及びより大きいパッケージサイズを結果的に招く。
【０００８】
空調システムからの冷媒の漏れを最小化する空調システムで用いるための密封構造を備えるフィッティングが継続的に必要である。好ましくは、フィッティング及び密封構造の臨界的な設計制約が空調システムからの冷媒の漏れ及びフィッティングの全体パッケージサイズを最小化するために最適化される。
【先行技術文献】
【特許文献】
【０００９】
【特許文献１】ＵＳ７６２１５６８号
【特許文献２】ＵＳ９２６１１９４号
【発明の概要】
【発明が解決しようとする課題】
【００１０】
本発明は、空調システムからの冷媒の漏れ及びフィッティングの全体パッケージサイズを最小化するために最適化されている空調システムに用いるための密封構造を提供することをその目的とする。
【課題を解決するための手段】
【００１１】
本発明は空調システム用ブロックフィッティング及び密封構造であって、前記空調システムの雌ブロック部品に収容されるようになっている雄ブロックフィッティングとして、前記雄ブロックフィッティングは軸方向に延びる膨らんでいる部門を備える前記雄ブロックフィッティング、及び前記膨らんでいる部分の周りに配置される環形密封部分として、前記密封部分は前記雄ブロックフィッティング及び前記雌ブロック部品と協力して前記雄ブロックフィッティングと前記雌ブロック部品間に軸方向密封及び放射状の密封を提供するように構成された前記環形密封部分を含むことを特徴とする。
【発明の効果】
【００１２】
本発明によるブロックフィッティング及び密封構造は空調システムからの冷媒の漏れ及びフィッティングの全体パッケージサイズを最小化するために最適化されている空調システムを提供できる。
【図面の簡単な説明】
【００１３】
【図１】従来技術の第１例によるブロックフィッティング及び密封構造の分解正面透視図である。
【図２】本開示内容の一実施例によるブロックフィッティング及び密封構造の分解正面透視図である。
【図３】雌（ｆｅｍａｌｅ）ブロックフィッティングの一部分が除去されている図３のブロックフィッティング及び密封構造の組立正面透視図である。
【図４】雌ブロックフィッティングの窪んでいる部分内に収容される雄（ｍａｌｅ）ブロックフィッティングの膨らんでいる部分と雄ブロックフィッティング及び雌ブロック  フィッティングの中間に配置される密封を示す図２〜図３のブロックフィッティング及び密封構造の上部の拡大された部分的な横断面立面図である。
【図５】図２〜図４に例示されているブロックフィッティング及び密封構造の密封の拡大された部分的な正面透視図である。
【図６】本開示内容の他の実施例による雌ブロックフィッティングの右側面透視図である。
【発明を実施するための形態】
【００１４】
以下の詳細な説明及び添付した図面は本発明の多様な実施例を説明して例示する。詳細な説明及び図面は当該技術分野において通常の知識を有する者（以下、当業者という）が発明を作って使用することを可能にする役割をするだけであり、如何なる方式で発明の範囲を制限しようとする意図ではない。開示された方法に対して、提供された段階の順序は自然に例示であるだけ、必須であるか臨界的なものではない。
【００１５】
本明細書で用いる「ａ」及び「ａｎ」はアイテムのうち「少なくとも一つ」が提供されることを表し、複数のそのようなアイテムが可能な場合、提供されることもできる。本明細書で用いられているように、「実質的に」は当業者が本開示の内容を考慮して用語を理解すべきであるところ、「相当な程度で」、「大きく」または「近似するように」を意味する。「前方」、「後方」、「内部」、「外部」、「最下部」、「最上部」、「水平」、「垂直」、「上部」、「下部」、「側面」などのような空間関連用語は図面で例示されているような他の要素またはフィーチャーに対する一つの要素またはフィーチャーの関係を説明するために説明を容易にするよう本明細書に使うことができる。空間関連用語は図面に図示された方向に付け加えて使用または動作時にディバイスの他の方向を含むように意図され得る。
【００１６】
用語第１、第２、第３などは多様な要素、部品、領域、階層及び／またはセクション  説明するために本明細書に使われることができるが、これら要素、部品、領域、階層及び／またはセクションはこれら用語により制限されてはならない。これら用語は一つの要素、部品、領域、階層またはセクションを他の領域、階層またはセクションから区別することにのみ使うことができる。「第１」、「第２」及び他の数値用語のような用語は本明細書に使われる時、文脈により明確に表示されないとシークエンスまたは順序を意味しない。したがって、下記で論議される第１要素、部品、領域、階層またはセクションは例示された実施例の教示を逸脱せず、第２要素、部品、領域、階層またはセクションを指し示すことができる。
【００１７】
図２〜図４には本発明の一実施例によるブロックフィッティング及び密封構造（１１０）を例示する。その構造（１１０）は管（１００、１０２）を実質的に軸方向に整列するために第１管（１００）及び第２管（１０２）の端部を収容するように構成される。構造（１１０）は雄ブロック部品または雄ブロックフィッティング（１１２）及び雌ブロック部品または雌ブロックフィッティング（１１４）を備える。例示されているように、ブロックフィッティング（１１２、１１４）は部品またはシステムから分離されたブロックフィッティングで例示されている。しかし、代替実施例によれば、ブロックフィッティング（１１２、１１４）はシステムと一体化されるか、システム構造と一体化した部品ブロックと同じ部品でそれぞれ構成できる。例えば、部品はコンデンサーブロックまたはコンプレッサーマニフォールドのような冷却システム部品である。他の例では、部品はハウジングまたはシステムの他の類似の構造である。代替実施例によれば、雄ブロックフィッティング（１１２）はシステムまたはシステム構造の雌ブロック部品として構成される雌ブロックフィッティング（１１４）に結合するために構成されたブロックフィッティングである。同様に、雄ブロックフィッティング（１１２）はブロックフィッティングとして構成される雌ブロックフィッティング（１１４）に結合するために構成されたシステムまたはシステム構造の雄ブロック部品である。
【００１８】
雄ブロックフィッティング（１１２）は雌ブロックフィッティング（１１４）内に形成される窪んでいる部分（１２３）により収容されるように構成された管形状の膨らんでいる部分（１２２）を有し実質的にピーナッツ形状を有する本体（１１１）を備える。雄ブロックフィッティング（１１２）の本体（１１１）及び膨らんでいる部分（１２２）は貫通して形成された第１開口（１１６）を備える。第１開口（１１６）の少なくとも一部分は第１管（１００）の端部を収容するように構成される。第２開口（１２４）がファスナー（１２８）を収容するように雄ブロックフィッティング（１１２）の本体（１１１）を貫通して形成される。第２開口（１２４）は雄ブロックフィッティング（１１２）の本体下部部分（１３２）を貫通して形成される。雄ブロックフィッティング（１１２）の第１開口（１１６）及び第２開口（１２４）を取り囲む本体（１１１）の一部分は本明細書で雄ブロックフィッティング（１１２）のフランジ部分（１３４）と称される。雄ブロックフィッティング（１１２）がシステムまたは構造の雄ブロック部品として構成される場合、本体（１１１）はシステムまたは構造の一部分に形成される。
【００１９】
膨らんでいる部分（１２２）は環形であり、３つの連続的なセグメント、実質的に一定の外部直径を有する第１セグメント（１２９）、第１セグメント（１２９）の直径より小さな実質的に一定の外部直径を有する第２セグメント（１３０）、第３セグメントまたはテーパーリングされた部分（１３１）に分割される。膨らんでいる部分（１２２）の遠端部は可変的な角度でテーパーリングするテーパーリングされた部分（１３１）を備える。しかし、テーパーリングされた部分（１３１）は所望の場合、一定の角度でテーパーできることを理解できる。テーパーリングされた部分（１３１）は第１開口（１１６）の縦軸に対して鋭角でテーパーする。第２セグメント（１３０）はテーパーリングされた部分（１３１）と第１セグメント（１２９）の間に形成される。環形凸部（１３６）が第２セグメント上に第１端部と第２端部の間に形成される。環形凸部（１３６）は第２セグメント（１３０）の外部表面から放射状に外側に延びて実質的に一定の外部直径を有する。
【００２０】
雌ブロックフィッティング（１１４）は雄ブロックフィッティング（１１２）の膨らんでいる部分（１２２）を収容するように構成された窪んでいる部分（１２３）が内部に形成された実質的にピーナッツ形状を有する本体（１１３）を備える。第１開口（１１８）が雌ブロックフィッティング（１１４）を貫通して形成されて窪んでいる部分（１２３）と同心であり同じ空間を占める。雌ブロックフィッティング（１１４）の第１開口（１１８）は雄ブロックフィッティング（１１２）の第１開口（１１６）と整列して第２管（１０２）の端部を収容するように構成される。第２開口（１２６）がファスナー（１２８）を収容するために雌ブロックフィッティング（１１４）の本体（１１３）を貫通して形成される。ファスナー（１２８）は雄ブロックフィッティング（１１２）を雌ブロックフィッティング（１１４）に結合させる。雌ブロックフィッティング（１１４）の第２開口（１２６）は雄ブロックフィッティング（１１２）の第２開口（１２４）と整列する。特定実施例で、ファスナー（１２８）はねじ歯があり、第２開口（１２４、１１６）内に形成されたねじ歯と噛み合う。他の実施例で、ファスナー（１２８）はピン、アンカー、またはボルトとして構成できる。第２開口（１２６）は雌ブロックフィッティング（１１４）の本体下部部分（１４６）を貫通して形成される。雌ブロックフィッティング（１１４）の第１開口（１１８）及び第２開口（１２６）を取り囲む本体（１１３）の一部分は本明細書で雌ブロックフィッティング（１１４）のフランジされた部分（１３５）に通称される。雌ブロックフィッティング（１１４）がシステムまたは構造の雌ブロック部品として構成される場合、本体（１１３）がシステムまたは構造の一部分として形成される。
【００２１】
窪んでいる部分（１２３）の横断面形状または内部輪郭は実質的に雄ブロックフィッティング（１１２）の膨らんでいる部分（１２２）の横断面形状または外部輪郭に対応する。窪んでいる部分（１２３）は３つの連続的な部分：実質的に一定の直径を有する本体（１１３）の内部表面（１５５）に隣接した第１セグメント（１３７）、第１セグメント（１３７）の直径より小さな実質的に一定の直径を有する第２セグメント（１３８）、及び第３セグメントまたはテーパーリングされた部分（１３９）に分割される。雌ブロックフィッティング（１１４）のテーパーリングされた部分（１３９）は雌ブロックフィッティング（１１４）の外部表面（１５６）からテーパーリングされた部分（１３９）まで延びる雌ブロックフィッティング（１１４）の開口（１１８）に隣接している。窪んでいる部分（１２３）のテーパーリングされた部分（１３９）はその長さに沿って窪んでいる部分（１２３）の第２セグメント（１３８）の直径より小さな直径を有する。雌ブロックフィッティング（１１４）のテーパーリングされた部分（１３９）は雄ブロックフィッティング（１１２）のテーパーリングされた部分（１３１）を収容して噛み合うように構成される。第２セグメント（１３８）はテーパーリングされた部分（１３９）と第１セグメント（１３７）の間に配置される。雌ブロックフィッティング（１１４）の第２セグメント（１３８）は雄ブロックフィッティング（１１２）の第２セグメント（１３０）を収容するように構成される。雌ブロックフィッティング（１１４）のテーパーリングされた部分（１３９）は雄ブロックフィッティング（１１２）のテーパーリングされた部分（１３１）を収容するように構成される。金属で形成される雌ブロックフィッティング（１１４）のテーパーリングされた部分（１３９）は金属で形成される雄ブロックフィッティング（１１２）のテーパーリングされた部分（１３１）に噛み合って金属−金属間密封と同様な密封を形成する。しかし、テーパーリングされた部分（１３１、１３９）は所望の場合、他の材料で形成できることが分かる。
【００２２】
可変的な角度を有するか、有しない雌ブロックフィッティング（１１４）のテーパーリングされた部分（１３９）は雌ブロックフィッティング（１１４）の第１開口（１１８）の縦軸に対して鋭角でテーパーリングされる。第１ショルダー（ｓｈｏｕｌｄｅｒ）（１４２）が窪んでいる部分（１２３）のテーパーリングされた部分（１３９）と窪んでいる部分（１２３）の第２セグメント（１３８）の間に形成される。第２ショルダー（１４４）が雄ブロックフィッティング（１１２）の第１セグメント（１２９）に対する停止部（ｓｔｏｐ）として作用するように窪んでいる部分（１２３）の第１セグメント（１３７）と窪んでいる部分（１２３）の第２セグメント（１３８）の間に形成される。
【００２３】
環形密封部分（１２０）が雄ブロックフィッティング（１１２）の膨らんでいる部分（１２２）と雌ブロックフィッティング（１１４）の窪んでいる部分（１２３）の間に収容されるように構成される。図示の実施例では、密封部分（１２０）が雄ブロックフィッティング（１１２）の膨らんでいる部分（１２２）の第２セグメント（１３０）の環形凸部（１３６）を実質的に取り囲むように、そして雌ブロックフィッティング（１１４）の窪んでいる部分（１２３）の第２セグメント（１３８）の内部表面に隣接するように構成される。図示の実施例では、密封部分（１２０）が弾性材料で形成される。しかし、密封部分（１２０）は変形可能性及び化学的抵抗性のような所望の特性を有する他の材料で形成できる。第１ショルダー（１４２）は密封部分（１２０）の軸方向運動に対して抵抗するように密封部分（１２０）用の停止部として作用する。
【００２４】
図４〜図５に図示したように、密封部分（１２０）は内部表面（１４８）及び外部表面（１５０）を備えた実質的にＵ字形の横断面を有する。しかし、他の横断面形状を望む場合、使用できることが分かる。密封部分（１２０）の内部表面（１４８）は雄ブロックフィッティング（１１２）の膨らんでいる部分（１２２）の第２セグメント（１３０）の環形凸部（１３６）に全体的に対応する形状の凹部（１５２）を備える。例示された実施例では、凹部（１５２）は実質的に長方形横断面形状を有する。しかし、凹部（１５２）の他の形状を望む場合、考慮できる。密封部分（１２０）の外部表面（１５０）は内部に形成される実質的にアーチ型の膨らんでいる陷入部（１５４）を備える。陷入部（１５４）は密封部分（１２０）に対する亀裂または損傷を最小化しながら密封部分（１２０）を反らすか曲げる。密封部分（１２０）は膨らんでいる部分（１２２）及び窪んでいる部分（１２３）の第２セグメント（１３０、１３８）の長さにそれぞれ実質的に同じ長さを有する。
【００２５】
図６に図示したように、代替実施例では、雌ブロックフィッティング（１１４）はブロックフィッティング（１１２、１１４）の強く締め付ける間、フィッティングガイダンス（ｇｕｉｄａｎｃｅ）を向上させるためにまたは実質的に一定の組立力を可能にするために雌ブロックフィッティング上にに提供されているヒール（ｈｅｅｌ）またはオフセット表面（３００）を備える。オフセット表面（３００）は本体下部部分（１４６）の内部表面（１５５）から外側に延びる。オフセット表面（３００）は本体下部部分（１４６）の最下部に形成される。しかし、オフセット表面（３００）は所望の場合、本体下部部分（１４６）の他の部分に形成できることが分かる。ヒールまたはオフセット表面（３００）はまた所望の場合、雄ブロックフィッティング（１１２）上に提供できることが分かる。
【００２６】
組み立てるために、密封部分（１２０）は環形凸部（１３６）を内部に収容する凹部（１５２）を有する環形凸部（１３６）上に位置決定される。雄ブロックフィッティング（１１２）の膨らんでいる部分（１２２）は雄ブロックフィッティング（１１２）のテーパーリングされた部分（１３１）がテーパーサドルを形成するように雌ブロックフィッティング（１１４）のテーパーリングされた部分（１３９）に隣接するまで雌ブロックフィッティング（１１４）の窪んでいる部分（１２３）にフィッティングされる。密封部分（１２０）はまた放射状の密封を生成するために雌ブロックフィッティング（１１４）の第１ショルダー（１４２）に隣接している。密封部分（１２０）は軸方向密封を生成するために雄ブロックフィッティング（１１２）の環形凸部（１３６）と雌ブロックフィッティング（１１４）の窪んで切る部分（１２３）の間に圧縮される。
【００２７】
さらに、密封部分（１２０）の内部表面（１４８）は実質的に環形凸部（１３６）の形状に対応し、それに沿って密封部分（１２０）が１次密封を形成するように環形凸部（１３６）を実質的に取り囲んで挟まれる。密封部分（１２０）による環形凸部（１３６）の取り囲みは軸方向密封と放射状の密封の両者を形成し、それにより雄ブロックフィッティング（１１２）及び雌ブロックフィッティング（１１４）の密封を最大化する。また、雄ブロックフィッティング（１１２）のテーパーリングされた部分（１３１）と雌ブロックフィッティング（１１４）のテーパーリングされた部分（１３９）の間に形成されるテーパーサドルはまた２次密封を形成するために雌ブロックフィッティング（１１４）と雄ブロックフィッティング（１１２）の間の密封表面として作用する。可変的な角度や一定の角度の何れも本発明の範囲を逸せず雄ブロックフィッティング（１１２）と雌ブロックフィッティング（１１４）の中の１つまたは両者に対するテーパーリングされた部分（１３１、１３９）に用いられることが分かる。ファスナー（１２８）は雄ブロックフィッティング（１１２）を雌ブロックフィッティング（１１４）に結合させるために雄ブロックフィッティング（１１２）及び雌ブロックフィッティング（１１４）の第２開口（１２４、１２６）を貫通して延びる。閉めナット（１４０）がファスナー（１２８）を元の位置に固定するために用いられる。第１管（１００）は雄ブロックフィッティング（１１２）内に収容され、第２管（２００）は雌ブロックフィッティング（１１４）内に収容されて第１管（１００）と整列される。管（１００、２００）はフィッティング（１１２、１１４）を互いに結合する前または後にそれぞれのフィッティング（１１２、１１４）内に収容できる。
【００２８】
本開示のブロックフィッティング及び密封構造（１１０）はフランジされた部分（１３４、１３５）が従来技術のフランジされた部分より小さくなる結果を招く。従来技術の密封は雄ブロックフィッティングまたは雌ブロックフィッティングの歪みまたは曲りを防止して雄ブロックフィッティングと雌ブロックフィッティングを共に結合するために用いられるファスナーを強く締め付けるのに必要なより大きいトークによってより大きいフィッティングフランジされた部分（すなわち、雄ブロックフィッティング及び雌ブロックフィッティングの第１及び第２開口を取り囲む材料）の使用を必要とした。雄ブロックフィッティングと雌ブロックフィッティングの間に密封の構成及び位置によってより大きいトークが必要であった。軸方向密封と放射状の密封の両者を形成するために環形凸部（１３６）を有する本開示内容の密封部分（１２０）と雌ブロックフィッティング（１１４）の第２セグメント（１３８）の内部表面の協力により、雌ブロックフィッティング（１１４）と雄ブロックフィッティング（１１２）を共に結合させるファスナー（１２８）を強く締め付けるのにより小さなトークが必要になる。したがって、より小さなフランジ部分が雌ブロックフィッティング（１１４）及び雄ブロックフィッティング（１１２）に必要になる。その結果、自動車内のパッケージサイズを最小化しブロックフィッティング及び密封構造（１１０）の重さを最小化するために雌ブロックフィッティング（１１４）及び雄ブロックフィッティング（１１２）用に減少した材料またはより薄い材料の領域が利用できる。
【００２９】
本開示の制約によって生産されたブロックフィッティング及び密封構造（１１０）はそれによりブロックフィッティング及び密封構造（１１０）の全体パッケージサイズ及びブロックフィッティング及び密封構造（１１０）を備える空調システムから冷媒の漏れを最小化する。
図示して説明した実施例が空調システム用のブロック類型フィッティング用に用いられるが、密封構造（１０）は、所望の場合、他のフィッティング類型と共に使用できることが分かる。
特定の代表的な実施例及び詳細が発明を例示する目的で図示したが、当業者には以下の添付した請求範囲においてさらに説明される本開示の範囲を逸せず多様な変更ができることは明白である。
【符号の説明】
【００３０】
１０  密封構造
１２、１１２  雄ブロックフィッティング
１４、１１４  雌ブロックフィッティング
１６，１８，１１６、１１８  第１開口
２０，１２０  密封部分
２２，１２２  膨らんでいる部分
２８、１２８  ファスナー
１００、１０２  管、第１管
１００  第１管
１０２  第２管
１１０  構造
１１１  本体
１１３  本体
１２３  窪んでいる部分
１２４、１２６  第２開口
１２９、１３７  第１セグメント
１３０、１３８  第２セグメント
１３１、１３９  テーパーリングされた部分
１３２  本体下部部分
１３６  環形凸部
１４０  閉めナット
１４６  本体下部部分
１４８  内部表面
１５０  外部表面
１５２  凹部
１５４  陥入部
１５５  内部表面
２００  第２管
３００  オフセット表面
【図１】
2020003067.tif 000003
【図２】
2020003067.tif 000004
【図３】
2020003067.tif 000005
【図４】
2020003067.tif 000006
【図５】
2020003067.tif 000007
【図６】
2020003067.tif 000008